(57)【要約】【課題】表示手段の曲げ軸の方向に応じて、表示を制御すること。【解決手段】表示装置１は、曲げ変形可能な表示手段１１と、表示手段１１が曲げ変形された場合に、表示手段１１の曲げ軸の方向を検出する方向検出手段１０１と、方向検出手段１０１によって検出された表示手段１１の曲げ軸の方向に応じて、表示手段１１の表示を制御する表示制御手段１０３と、を備える。【選択図】図１
2015046037.tif 000002
【特許請求の範囲】
【請求項１】
曲げ変形可能な表示手段と、
前記表示手段が曲げ変形された場合に、前記表示手段の曲げ軸の方向を検出する方向検出手段と、
前記方向検出手段によって検出された前記表示手段の曲げ軸の方向に応じて、前記表示手段の表示を制御する表示制御手段と、
を備えることを特徴とする表示装置。
【請求項２】
請求項１に記載の表示装置において、
前記表示手段は、折り曲げることが可能であり、
前記表示手段の曲げ軸の方向とは、前記表示手段の折り目の方向であることを特徴とする表示装置。
【請求項３】
請求項２に記載の表示装置において、
前記表示手段の表示画面のスクロール方向を入力する入力手段と、
前記入力手段により入力されたスクロール方向に応じて、前記表示画面をスクロールするスクロール手段と、
をさらに備え、
前記表示制御手段は、前記表示手段が折り曲げられた場合に、前記表示手段の折り目の方向に応じて、前記スクロール手段によるスクロール方向を制限することを特徴とする表示装置。
【請求項４】
請求項３に記載の表示装置において、
前記表示制御手段は、前記スクロール方向を、前記表示手段の折り目の方向に対して平行な方向または垂直な方向に制限することを特徴とする表示装置。
【請求項５】
請求項４に記載の表示装置において、
前記表示制御手段は、前記表示手段に表示されているコンテンツの種類に応じて、前記スクロール方向を、前記表示手段の折り目の方向に対して平行な方向に制限するか、または垂直な方向に制限するかを制御することを特徴とする表示装置。
【請求項６】
請求項５に記載の表示装置において、
前記表示制御手段は、前記コンテンツが地図である場合には前記スクロール方向を前記表示手段の折り目の方向に対して平行な方向に制限し、前記コンテンツが書籍である場合には前記スクロール方向を前記表示手段の折り目の方向に対して垂直な方向に制限することを特徴とする表示装置。
【請求項７】
請求項３〜６のいずれか一項に記載の表示装置において、
前記スクロール手段は、前記表示手段が折り曲げられていない場合には、前記入力手段により入力されたスクロール方向に前記表示画面をスクロールし、前記表示手段が折り曲げられた場合には、前記表示制御手段により制限されたスクロール方向にのみ前記表示画面をスクロールすることを特徴とする表示装置。
【請求項８】
請求項３〜７のいずれか一項に記載の表示装置において、
前記スクロール手段は、前記表示制御手段により第１の方向にスクロール方向が制限されている際、前記入力手段により前記第１の方向と異なる第２の方向が入力された場合にも、前記第１の方向に前記表示画面をスクロールすることを特徴とする表示装置。
【請求項９】
請求項３〜８のいずれか一項に記載の表示装置において、
前記表示制御手段は、前記スクロール手段によるスクロールによって前記表示手段に表示されているコンテンツの所定箇所が前記表示手段の折り目の位置にさしかかった際に、前記スクロール手段によるスクロールを一旦停止させることを特徴とする表示装置。
【請求項１０】
請求項１に記載の表示装置において、
前記表示制御手段は、前記表示手段の前記曲げ軸によって分割された領域のそれぞれを、独立した表示画面として制御することを特徴とする表示装置。
【請求項１１】
請求項２〜１０のいずれか一項に記載の表示装置において、
前記表示手段の折り曲げ位置を複数検出する位置検出手段をさらに備え、
前記方向検出手段は、複数の前記折り曲げ位置を結んだ線分を、前記表示手段の折り目として検出することを特徴とする表示装置。
【発明の詳細な説明】
【技術分野】
【０００１】
本発明は、表示装置に関する。
【背景技術】
【０００２】
フレキシブルな素材で作られ、曲げることが可能な表示装置が開発されている。このような表示装置において、たとえば、曲げられている部分の位置と曲げ度合いに応じて、表示内容を切り替える表示装置が提案されている（特許文献１参照）。
【先行技術文献】
【特許文献】
【０００３】
【特許文献１】特開２０１２−１４２００１号公報
【発明の概要】
【発明が解決しようとする課題】
【０００４】
上記従来技術は、表示手段の曲げ軸の方向に応じて、表示を制御することはできなかった。
【課題を解決するための手段】
【０００５】
請求項１に記載の表示装置は、曲げ変形可能な表示手段と、表示手段が曲げ変形された場合に、表示手段の曲げ軸の方向を検出する方向検出手段と、方向検出手段によって検出された表示手段の曲げ軸の方向に応じて、表示手段の表示を制御する表示制御手段と、を備えることを特徴とする。
【発明の効果】
【０００６】
本発明によれば、表示手段の曲げ軸の方向に応じて、表示を制御することができる。
【図面の簡単な説明】
【０００７】
【図１】表示装置の構成を説明するブロック図である。
【図２】フレキシブルディスプレイの折り曲げについて説明する図である。
【図３】フレキシブルディスプレイに折り目が付けられていない場合を説明する図である。
【図４】フレキシブルディスプレイに折り目が付けられている場合を説明する図である。
【図５】フレキシブルディスプレイに折り目が付けられている場合を説明する図である。
【図６】ＣＰＵが実行する処理の流れを説明する図である。
【図７】表示画面の分割を説明する図である。
【図８】表示画面の分割を説明する図である。
【図９】変形例１を説明する図である。
【図１０】変形例３を説明する図である。
【発明を実施するための形態】
【０００８】
−第１の実施形態−
図面を参照して本発明の第１の実施形態について説明する。図１は、本実施形態に係る表示装置１の構成を説明するブロック図である。表示装置１は、ＣＰＵ１０、フレキシブルディスプレイ１１、ディスプレイドライバ１２、タッチセンサ１３、およびＩ／Ｆ（インターフェース）ドライバ１４を備える。さらに表示装置１は、折り曲げ状態検出センサ１５、メモリ１６、ストレージメディアスロット１７、バッテリ１８、電源コントローラ１９、無線送受信部２０、および無線通信ドライバ２１を有する。
【０００９】
ＣＰＵ１０は、表示装置１の各部を統括的に制御する。また、ＣＰＵ１０は、方向検出部１０１とスクロール部１０２と表示制御部１０３とを有する。ＣＰＵ１０は、不図示のＲＯＭに格納された制御プログラムを実行することにより、これらの各部の機能を実現している。各部の機能の内容については、後で詳しく説明する。
【００１０】
フレキシブルディスプレイ１１は、薄いシート状の表示部材であって、全体として高い柔軟性を有し、任意の箇所で折り曲げ可能に構成されている。ディスプレイドライバ１２は、ＣＰＵ１０からの指示に応じて画像やメニュー画面等をフレキシブルディスプレイ１１に表示するための制御を行う。
【００１１】
タッチセンサ１３は、フレキシブルディスプレイ１１の表示面に積層されており、ユーザの指などが接触した接触位置を検出する。Ｉ／Ｆドライバ１４は、タッチセンサ１３により検出された接触位置を示す信号をＣＰＵ１０に出力する。
【００１２】
折り曲げ状態検出センサ１５は、フレキシブルディスプレイ１１の折り曲げ状態を検出し、検出結果を示す信号をＣＰＵ１０に出力する。折り曲げ状態検出センサ１５は、たとえば、圧力センサや、ジャイロセンサなどを用いることができる。
【００１３】
メモリ１６は、フレキシブルディスプレイ１１に表示する画像データや文字データなどをストレージする。ストレージメディアスロット１７は、ＣＰＵ１０からの指示に応じて、ストレージメディア３０からデータを読み出したり、ストレージメディア３０にデータを書き込んだりする。電源コントローラ１９は、バッテリ１８の電圧を表示装置１内の各部で必要な電圧に変換して各部へ供給する。
【００１４】
無線送受信部２０は、無線通信ドライバ２１の制御のもと、アクセスポイント３１との無線接続を行い、コンテンツサーバ３２から各種コンテンツデータ（画像データや文字データなど）を取得する。
【００１５】
なお、本実施形態では、フレキシブルディスプレイ１１の片側が表示面である例について説明するが、両面ともに表示が可能なフレキシブルディスプレイであってもよい。いずれの場合でも、どちらの面を表にしても自在に折り曲げが可能であり、さらに折り曲げの位置もユーザの任意である。
【００１６】
また、バッテリ１８およびＣＰＵ１０を載せた制御基板類は、フレキシブルディスプレイ１１の折り曲げを阻害しないようにフレキシブルディスプレイ１１の両端部にまとめることが現実的である。しかしながら、これらの制御基板類を、将来的にはフレキシブルディスプレイ部分に薄いフレキシブルなシートとして配することも考えられる。
【００１７】
さらに、制御基板類とフレキシブルディスプレイ１１を分離して、互いに有線あるいは無線接続を行う構成として、可搬性や収納性を向上させることも可能である。
【００１８】
また、本実施形態のフレキシブルディスプレイ１１は、図２に示すように、ユーザがフレキシブルディスプレイ１１を折り曲げて折り目Ｏｒをつけることができ、ユーザが手を放しても折り目Ｏｒが保持される。すなわち、折り目Ｏｒは、折り曲げることによって生じる。さらに、フレキシブルディスプレイ１１では、ユーザが折り目Ｏｒの部分を伸ばすことで、折り目Ｏｒを消すことができる。
【００１９】
折り曲げ状態検出センサ１５は、たとえばフレキシブルディスプレイ１１の外周部に設けられており、フレキシブルディスプレイ１１の外周部における折り曲げ位置を検出して、ＣＰＵ１０に出力する。ユーザは、フレキシブルディスプレイ１１に折り目Ｏｒをつける際、折り目Ｏｒがつく程度にフレキシブルディスプレイ１１を折り畳んだ後、図２に示すように、フレキシブルディスプレイ１１を折り目Ｏｒが保持される程度に広げると考えられる。
【００２０】
このことをふまえ、たとえば、図２におけるフレキシブルディスプレイ１１の折り目Ｏｒに対して左側の部分が折り目Ｏｒに対して右側の部分に接触した状態（折り畳まれた状態）の折り曲げ角度を０度とし、フレキシブルディスプレイ１１の折り目がない状態（折り畳まれていない状態）の折り曲げ角度を１８０度とする。すなわち、折り目Ｏｒに対して左側の部分を折り目Ｏｒに対して右側の部分の方へ折り畳むと折り曲げ角度が小さくなる。折り曲げ状態検出センサ１５は、フレキシブルディスプレイ１１のある位置において、折り曲げ角度が第１の角度（折り目Ｏｒがつく角度）以下となった後で、第１の角度以上第２の角度（折り目Ｏｒが保持される角度）以下になった場合に、その位置を折り曲げ位置として検出する。なお、第２の角度は第１の角度よりも大きい。また、折り曲げ状態検出センサ１５は、折り曲げ位置において、折り曲げ角度が上記第２の角度以上となった場合には、折り曲げが解消されたことを検出する。
【００２１】
また、たとえば、折り曲げ状態検出センサ１５は、フレキシブルディスプレイ１１のある位置において、曲率半径が第１の曲率半径（折り目Ｏｒがつく程度）以下になった後で、第１の曲率半径以上第２の曲率半径（折り目Ｏｒが保持される程度）以下になった場合に、その位置を折り曲げ位置として検出するようにしてもよい。
【００２２】
なお、折り曲げ状態検出センサ１５は、フレキシブルディスプレイ１１の折り曲げが山折り（表示面側に凸）または谷折り（表示面側に凹）のいずれであっても同様に折り曲げ位置を検出する。
【００２３】
また、フレキシブルディスプレイ１１が折り曲げられた場合には、図２に示すように、フレキシブルディスプレイ１１の外周部において２箇所の折り曲げ位置Ｐ１，Ｐ２が検出される。ＣＰＵ１０の方向検出部１０１は、折り曲げ状態検出センサ１５により検出された２箇所の折り曲げ位置Ｐ１，Ｐ２を結んだ線分を、フレキシブルディスプレイ１１の折り目（折り曲げ稜線）Ｏｒとして検出し、当該線分の方向を折り目Ｏｒの方向として検出する。
【００２４】
なお、折り曲げ状態検出センサ１５は、フレキシブルディスプレイ１１の全体にわたって設けられていてもよく、この場合も上述した場合と同様にして折り曲げ位置を検出すればよい。そして、方向検出部１０１は、折り曲げ状態検出センサ１５により検出された複数の折り曲げ位置を結んだ線分を折り目として検出すればよい。
【００２５】
本実施形態では、このようにして検出されたフレキシブルディスプレイ１１の折り目Ｏｒの方向（すなわち曲げ軸の方向）に応じて、フレキシブルディスプレイ１１の表示を制御するようになっている。以下、この点について説明する。
【００２６】
表示装置１は、たとえば、電子データ化された書籍、雑誌、新聞、楽譜、地図などのコンテンツをフレキシブルディスプレイ１１に表示する。なお、表示するコンテンツのデータは、ストレージメディア３０（たとえばメモリカード）から読み込んだり、Ｗｉ−Ｆｉ等の無線通信手段を使用してコンテンツサーバ３２から受信したりすることで取得する。
【００２７】
図３は、フレキシブルディスプレイ１１に折り目がつけられていない場合を説明する図である。図３では、フレキシブルディスプレイ１１の表示画面に、地図データに基づく地図画像Ｍａが表示されている。このとき、ユーザは、タッチセンサ１３の任意の箇所を指でなぞる（スワイプする）操作を行うことで、表示画面のスクロール方向を入力する。すると、ＣＰＵ１０のスクロール部１０２は、指のなぞり方向、すなわちタッチセンサ１３を介して入力された方向に表示画面をスクロールさせる。フレキシブルディスプレイ１１に折り目がつけられていない状態では、スクロール方向に制限がないため、スクロール部１０２は、ユーザに入力された通りの方向に表示画面をスクロールする。
【００２８】
図４は、地図画像Ｍａを表示しているフレキシブルディスプレイ１１に折り目Ｏｒがつけられている場合を説明する図である。図４では、折り目Ｏｒの方向は紙面の上下方向である。この場合、ＣＰＵ１０の表示制御部１０３は、方向検出部１０１により検出された折り目Ｏｒの方向に応じて、表示画面のスクロール方向を制限する。表示制御部１０３は、フレキシブルディスプレイ１１に表示されるコンテンツが地図である場合には、表示画面のスクロール方向を、折り目Ｏｒの方向に対して平行な方向（図５の場合上下方向）に制限する。
【００２９】
表示制御部１０３によりスクロール方向が上下方向に制限されている場合、スクロール部１０２は、ユーザによりスワイプ操作が行われると、上下方向に表示画面をスクロールする。このとき、スクロール部１０２は、スワイプ操作の方向（すなわちユーザにより入力された方向）が上下方向である場合は表示画面を上下方向にスクロールするのはもちろんのこと、スワイプ操作の方向が上下方向とは異なる方向である場合も表示画面を上下方向にスクロールする。この場合、スクロール部１０２は、スワイプ操作の方向における上下方向の成分に応じて、表示画面を上下方向にスクロールする。たとえば、スワイプ操作の方向が右斜め上に向かう方向である場合には、スクロール部１０２は、表示画面を上方向にスクロールする。一方、スワイプ操作の方向が左右方向である場合には、上下方向の成分が０なので、上下方向のスクロールは行われない。
【００３０】
また、たとえば地図などのコンテンツでは、ユーザがフレキシブルディスプレイ１１に表示されるコンテンツを自由な方向にスクロールさせたい場合もあれば、ある一定方向（たとえば、東西方向または南北方向）にだけ、スクロールさせたい場合も考えられる。ある一定方向にスクロールさせたい場合には、ユーザは指をタッチセンサ１３に接触させたままその一定方向に指を動かせばよいが、常に一定方向に指を動かすことは難しく、指のなぞり方向がその一定方向からずれてしまうことがある。そこで、ユーザが所望する場合にはスクロール方向を制限した方がユーザにとって使い勝手がよいと考えられる。また、地図のようなコンテンツの場合、折り目Ｏｒの方向に沿ってのみスクロール可能とすることは、ユーザが直観的に理解しやすいと言える。
【００３１】
一方、図５は、書籍データに基づく書籍画像Ｂａを表示しているフレキシブルディスプレイ１１に折り目Ｏｒがつけられている場合を説明する図である。図５では、折り目Ｏｒの方向は紙面の上下方向である。表示制御部１０３は、フレキシブルディスプレイ１１に表示されるコンテンツが書籍である場合には、表示画面のスクロール方向を、折り目Ｏｒの方向に対して垂直な方向（図５に示す場合では左右方向）に制限する。
【００３２】
たとえば、見開きの書籍や楽譜のようなコンテンツの場合、ページをめくるのと同様に、見開き中心の折り曲げ部分をまたぐ方向（すなわち折り目Ｏｒの方向に対して垂直な方向）に内容がスクロールすることをユーザは期待すると考えられる。そこで、この場合には、折り目Ｏｒの方向に対して垂直な方向にのみスクロール可能とする制御が適すると言える。
【００３３】
このように表示制御部１０３は、フレキシブルディスプレイ１１に表示するコンテンツの種類に応じて、表示画面のスクロール方向を、折り目Ｏｒの方向に対して平行な方向に制限するか、または垂直な方向に制限するかを制御する。なお、折り目Ｏｒの方向に対して平行な方向、垂直な方向の何れかに制限することを例として挙げたが、必ずしも平行、垂直である必要はなく、折り目Ｏｒの方向に対して、第１方向（平行、垂直とは異なる方向）、第２方向（平行、垂直とは異なる方向）であればよい。ここで第１方向と第２方向とは直交していてもよい。
【００３４】
なお、スクロール方向を折り目Ｏｒの方向に対して平行な方向に制限するかまたは垂直な方向に制限するかを示す情報が、予めコンテンツのデータに付加されているようにしてもよい。この場合、表示制御部１０３は、フレキシブルディスプレイ１１に表示しているコンテンツのデータに付加された情報に基づいて、スクロール方向を折り目Ｏｒの方向に対して平行な方向に制限するかまたは垂直な方向に制限するかを制御する。
【００３５】
また表示制御部１０３は、スクロール方向を折り目Ｏｒの方向に対して垂直な方向に制限する場合には、折り目Ｏｒの部分に、コンテンツの所定箇所がさしかかった際に、スクロールを一旦停止（クリックストップ）させる制御を行うようにしてもよい。所定箇所とは、たとえば、画像領域の端部、文字領域の段落、ページ間の空白部など、コンテンツにおける区切りの箇所である。このような制御の結果、ユーザがラフなスワイプ操作を行っても、コンテンツが見やすい位置で停止することになるので、ユーザのコンテンツの閲覧効率が高まることになる。
【００３６】
図６は、フレキシブルディスプレイ１１に表示されたコンテンツのスクロール方向を制限する処理の流れを説明するフローチャートである。ＣＰＵ１０は、フレキシブルディスプレイ１１にコンテンツが表示されている間、図６に示す処理を繰り返し実行する。
【００３７】
ステップＳ１において、方向検出部１０３は、折り曲げ状態検出センサ１５からの検出信号に基づいて、フレキシブルディスプレイ１１に折り目がつけられているか否かを判定する。折り目がつけられている場合には、ＣＰＵ１０は、ステップＳ２へ進む。折り目がつけられていない場合には、ＣＰＵ１０は、フレキシブルディスプレイ１１に表示されたコンテンツのスクロール方向を制限せず、図６に示す処理を終了する。
【００３８】
ステップＳ２において、方向検出部１０１は、折り曲げ状態検出センサ１５からの検出信号に基づいて、フレキシブルディスプレイ１１につけられた折り目の方向を検出して、ステップＳ３へ進む。
【００３９】
ステップＳ３において、表示制御部１０３は、フレキシブルディスプレイ１１に表示されているコンテンツの種類が地図であるか、見開きの書籍または楽譜であるかを判定する。表示制御部１０３は、コンテンツが地図である場合はステップＳ４へ進み、コンテンツが見開きの書籍または楽譜である場合はステップＳ５へ進む。
【００４０】
ステップＳ４において、表示制御部１０３は、スクロール部１０２によるコンテンツのスクロール方向を、ステップＳ２で検出された折り目の方向に対して平行な方向に制限して、図７の処理を終了する。
【００４１】
ステップＳ５において、表示制御部１０３は、スクロール部１０２によるコンテンツのスクロール方向を、ステップＳ２で検出された折り目の方向に対して垂直な方向に制限して、図６の処理を終了する。
【００４２】
以上説明した実施の形態によれば、次の作用効果が得られる。
（１）表示装置１は、曲げ変形可能なフレキシブルディスプレイ１１と、フレキシブルディスプレイ１１が曲げ変形された場合に、フレキシブルディスプレイ１１の曲げ軸の方向（折り目の方向)を検出する方向検出部１０１と、を備える。さらに表示装置１は、フレキシブルディスプレイ１１の曲げ軸の方向（折り目の方向)に応じて、フレキシブルディスプレイ１１の表示を制御する表示制御部１０３を備える。このように表示装置１は、フレキシブルディスプレイ１１の曲げ軸の方向（折り目の方向)に応じて表示を制御することができる。
【００４３】
（２）さらに表示装置１は、フレキシブルディスプレイ１１の表示画面のスクロール方向を入力するタッチセンサ１３と、タッチセンサ１３により入力されたスクロール方向に応じて、表示画面をスクロールするスクロール部１０２と、を備える。表示制御部１０３は、フレキシブルディスプレイ１１が折り曲げられた場合に、折り目の方向に応じてスクロール部１０２によるスクロール方向を制限する。これにより、表示装置１は、ユーザがフレキシブルディスプレイ１１を設定画面に切り替えるといった操作を行うことなく、フレキシブルディスプレイ１１を折り曲げるという簡単な操作を行うだけで、スクロール方向を制限することができる。
【００４４】
（３）表示装置１において、表示制御部１０３は、フレキシブルディスプレイ１１に表示されているコンテンツの種類に応じて、表示画面のスクロール方向を、折り目の方向に対して平行な方向に制限するか、または垂直な方向に制限するかを制御する。これにより、表示装置１は、ユーザが直観的にわかりやすい方向にスクロール方向を制限することができる。
【００４５】
−第２の実施形態−
図面を参照して本発明の第２の実施形態について説明する。第２の実施形態では、フレキシブルディスプレイ１１において、折り目によって表示画面を分割する点が第１の実施形態と異なっている。以下、この点について説明する。なお、第２の実施形態における表示装置１の構成は、第１の実施形態における表示装置１の構成（図１）と同様であるため、同一の符号を付して、説明を省略する。
【００４６】
図７は、たとえば新聞などのヘッドライン（見出し）と本文で構成されたコンテンツをフレキシブルディスプレイ１１に表示した例を説明する図である。図７では、複数のヘッドライン（Ｈｅａｄｌｉｎｅ＃１〜Ｈｅａｄｌｉｎｅ＃６）が上下方向に並んで表示されている。この場合に、たとえば、図７（ａ）に示すように、ユーザが興味のあるヘッドライン（Ｈｅａｄｌｉｎｅ＃５）とその上側のヘッドライン（Ｈｅａｄｌｉｎｅ＃４）の間に、左右方向の折り目Ｏｒをつけたとする。すると表示制御部１０３は、フレキシブルディスプレイ１１において折り目Ｏｒによって表示画面を分割し、分割された上側領域Ａｕと下側領域Ａｄのそれぞれを、独立した表示画面（ウィンドウ）として制御する。
【００４７】
このとき、ユーザが興味のあるヘッドライン（Ｈｅａｄｌｉｎｅ＃５）をタッチ操作によって選択（クリック）したとする。すると、表示制御部１０３は、図７（ｂ）に示すように、Ｈｅａｄｌｉｎｅ＃５が表示されていた下側領域Ａｄに、Ｈｅａｄｌｉｎｅ＃５の本文を表示させる。一方、表示制御部１０３は、上側領域Ａｄについては、他のヘッドライン（Ｈｅａｄｌｉｎｅ＃１〜Ｈｅａｄｌｉｎｅ＃４）の表示を維持し続ける（すなわち表示を変化させない）。このため、ユーザは、たとえばＨｅａｄｌｉｎｅ＃５の記事の本文を読んだ後、すぐに他の記事のヘッドライン（Ｈｅａｄｌｉｎｅ＃１〜Ｈｅａｄｌｉｎｅ＃４）にアクセスすることが可能となる。
【００４８】
また、スクロール部１０２は、上側領域Ａｕにおいて指のなぞり操作が行われた場合には上側領域Ａｕに表示された内容のみをスクロールさせ、下側領域Ａｄにおいて指のなぞり操作が行われた場合には下側領域Ａｄに表示された内容のみをスクロールさせる。このように、表示制御部１０３は、折り目Ｏｒによって分割された２つの領域（上側領域Ａｕ、下側領域Ａｄ）において、それぞれ独立してスクロールを可能とする。
【００４９】
なお、フレキシブルディスプレイ１１につける折り目は、一箇所だけに限定しなくてもよい。たとえば、図８に示すように、フレキシブルディスプレイ１１に２箇所に折り目Ｏｒがつけられた場合には、その２箇所の折り目Ｏｒによって分割される領域は３つとなる。表示制御部１０３は、この３つの領域を、それぞれ独立した表示画面（ウィンドウ）として制御すればよい。
【００５０】
以上説明した実施の形態によれば、次の作用効果が得られる。
表示装置１において、表示制御部１０３は、フレキシブルディスプレイ１１の折り目によって分割された領域のそれぞれを、独立した表示画面として制御する。これにより、表示装置１は、ユーザがフレキシブルディスプレイ１１に折り目をつけるという直観的で簡単な操作を行うだけで、表示画面を分割することができる。
【００５１】
−変形例１−
表示制御部１０３は、折り目の方向（もしくは折り曲げ）に応じてスクロール方向を制限する第１の制御、および折り目（もしくは折り曲げ）によって分割された領域をそれぞれ独立した表示画面とする第２の制御のいずれを行うかを、フレキシブルディスプレイ１１の折り目の位置に応じて切り替えてもよい。
【００５２】
たとえば、図９（ａ）に示すように、フレキシブルディスプレイ１１の表示面に、フレキシブルディスプレイ１１の外周部の左辺および下辺を含むＬ字状の領域ＡＬが設定されているとする。このＬ字状の領域ＡＬは、スクロール方向を制限するために用いられるとする。たとえば、図９（ｂ）に示すように、フレキシブルディスプレイ１１の折り目Ｏｒ（もしくは折り曲げ）がＬ字状の領域ＡＬ内に含まれる場合には、表示制御部１０３は、折り目Ｏｒの方向によってスクロール方向を制限する第１の制御を行う。一方、図９（ｃ）に示すように、フレキシブルディスプレイ１１の折り目ＯｒがＬ字状の領域ＡＬからはみ出している場合には、表示制御部１０３は、折り目Ｏｒによって分割された領域をそれぞれ独立した表示画面とする第２の制御を行う。
【００５３】
こうすることにより、ユーザがフレキシブルディスプレイ１１の折り目Ｏｒをつける位置を変えるだけで、スクロール方向の制限または表示画面の分割を行うことができる。
【００５４】
また、たとえば、表示制御部１０３は、フレキシブルディスプレイ１１の折り目の長さに応じて、上記第１の制御および上記第２の制御のいずれを行うかを切り替えてもよい。たとえば、フレキシブルディスプレイ１１の折り目の長さが所定値よりも短い場合には、表示制御部１０３は、折り目の方向によってスクロール方向を制限する第１の制御を行う。また、フレキシブルディスプレイ１１の折り目の長さが所定値よりも長い場合には、表示制御部１０３は、折り目によって分割された領域をそれぞれ独立した表示画面とする第２の制御を行う。
【００５５】
また、たとえば、表示制御部１０３は、フレキシブルディスプレイ１１の折り目が山折りか谷折りかで、上記第１の制御および上記第２の制御のいずれを行うかを切り替えてもよい。たとえば、フレキシブルディスプレイ１１の折り目が山折りである場合には、表示制御部１０３は、折り目の方向に応じてスクロール方向を制限する第１の制御を行う。また、フレキシブルディスプレイ１１の折り目が谷折りである場合には、表示制御部１０３は、折り目によって分割された領域をそれぞれ独立した表示画面とする第２の制御を行うようにしてもよい。
【００５６】
また、たとえば、フレキシブルディスプレイ１１に地図画像を表示している場合には、ユーザの進行方向を検出して、その進行方向を示す矢印を地図画像上に表示するようにしてもよい。なお、ユーザの進行方向、すなわち表示装置１の移動方向を検出する方法については、たとえば、ジャイロセンサやＧＰＳ受信機などの検出センサを用いる方法など、公知の方法を用いればよい。この場合、表示制御部１０３は、フレキシブルディスプレイ１１の折り目が進行方向を示す矢印の方向と平行である場合には、その折り目の方向、すなわち進行方向と平行な方向にスクロール方向を制限する第１の制御を行う。一方、折り目が進行方向を示す矢印の方向と平行ではない場合には、表示制御部１０３は、折り目によって分割された領域をそれぞれ独立した表示画面とする第２の制御を行う。
【００５７】
−変形例２−
表示制御部１０３は、フレキシブルディスプレイ１１に折り目がつけられた場合、折り目の方向と平行な方向にスクロール方向を制限すると共に、折り目によって分割された領域をそれぞれ独立した表示画面として制御するようにしてもよい。たとえば、フレキシブルディスプレイ１１にＷＥＢページを表示している場合に、ユーザがＷＥＢページのカラムの境界線に沿って折り目をつけることで、カラムの方向にスクロールが制限されると共にカラムごとに独立した表示画面として制御されるので、ＷＥＢページが見やすくなる。
【００５８】
−変形例３−
上述した実施の形態では、フレキシブルディスプレイ１１に折り目がつけられたことを検出し、折り目の方向に応じて表示制御を行うようにした。しかしながら、フレキシブルディスプレイ１１に完全に折り目がつけられていなくてもよく、ある一定以下の曲率半径となっている位置を折り曲げ位置として検出し、折り曲げ位置を結んだ線分を折り目として検出するようにしてもよい。
【００５９】
また、図１０に示すように、フレキシブルディスプレイ１１を円筒状に軽く丸めた状態、つまり曲率半径がある程度大きい状態を検出して、上述した実施の形態のようなスクロール方向の制限を行うようにしてもよい。
【００６０】
この場合、折り曲げ状態検出センサ１５は、フレキシブルディスプレイ１１において曲率半径が所定値（軽く丸めた状態となるような値）以下となった位置を検出する。図１０に示すように、上下方向に長い円筒状に丸められた場合には、フレキシブルディスプレイ１１の外周部における左辺と右辺は曲率が０（曲率半径が∞）であるが、上辺と下辺は曲率半径がある程度小さくなる。
【００６１】
方向検出部１０１は、折り曲げ状態検出センサ１５の検出結果に基づいて、円筒状に丸められたフレキシブルディスプレイ１１の曲げ軸の方向（円筒の長さ方向）を検出する。表示制御部１０３は、図１０（ａ）に示すように、表示画面のスクロール方向を曲げ軸の方向に対して平行な方向に制限する。または、表示制御部１０３は、図１０（ｂ）に示すように、表示画面のスクロール方向を、曲げ軸の方向に対して垂直な方向（円周方向）に制限してもよい。表示制御部１０３は、上述した実施の形態と同様に、コンテンツの種類に応じてスクロール方向の制限の仕方を変えてもよい。
【００６２】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００６３】
１…表示装置、１０…ＣＰＵ、１１…フレキシブルディスプレイ、１３…タッチセンサ、１５…折り曲げ状態検出センサ、１０１…方向検出部、１０２…スクロール部、１０３…表示制御部
【図１】
2015046037.tif 000003
【図２】
2015046037.tif 000004
【図３】
2015046037.tif 000005
【図４】
2015046037.tif 000006
【図５】
2015046037.tif 000007
【図６】
2015046037.tif 000008
【図７】
2015046037.tif 000009
【図８】
2015046037.tif 000010
【図９】
2015046037.tif 000011
【図１０】
2015046037.tif 000012